(57)【特許請求の範囲】
【請求項１】
高周波信号を入力する第１の入力端子と、
中間周波信号又は前記中間周波信号と前記高周波信号との混合信号を入力する第２の入力端子と、
前記第１の入力端子に前記高周波信号が入力され前記第２の入力端子に前記中間周波信号が入力される場合に対応した第１のモードと、前記第２の入力端子に前記混合信号が入力される場合に対応した第２のモードのいずれかを選択する第１のスイッチと、
前記第１の入力端子又は前記第２の入力端子に入力される前記高周波信号の種類に対応した複数のモードから一つのモードを選択する第２のスイッチと、
前記高周波信号を減衰させるための減衰量を前記第２のスイッチの選択状態に応じて変更する第１の減衰部と、
前記中間周波信号を減衰させるための減衰量を前記第１のスイッチの選択状態及び前記第２のスイッチの選択状態に応じて変更する第２の減衰部とを備えることを特徴とするブースター。
【請求項２】
上り信号を増幅するための上り信号用増幅部を備え、
前記第１の入力端子又は前記第２の入力端子が前記上り信号用増幅部によって増幅された前記上り信号を出力し、
前記上り信号用増幅部への電源供給のＯＮ／ＯＦＦが前記第２のスイッチの選択状態に応じて切り替わることを特徴とする請求項１に記載のブースター。
【発明の詳細な説明】
【技術分野】
【０００１】
本発明は、高周波信号を増幅するブースターに関する。
【背景技術】
【０００２】
特許文献１で提案されているブースターでは、下り方向の周波数帯の高周波信号を増幅し、上り方向の周波数帯の高周波信号を増幅する双方向用のブースターを、１つの操作で上記下り周波数帯範囲とは異なる下り周波数帯用のブースターに切り換えることができる。すなわち、特許文献１で提案されているブースターは、下り周波数帯の帯域を切り換える機能を有している。
【先行技術文献】
【特許文献】
【０００３】
【特許文献１】特開２０１１−２９９０９号公報
【特許文献２】特開２０１１−３０２５３号公報（第２図及び第３図）
【発明の概要】
【発明が解決しようとする課題】
【０００４】
従来のブースターに、放送用光加入者端末装置（Ｖ−ＯＮＵ:Video-Optical Network Unit）からの高周波信号を下り信号として入力した場合、Ｖ−ＯＮＵからの高周波信号の信号レベルが高いために、ブースターから出力される下り信号の信号レベルが高くなり過ぎるという問題が生じる。
【０００５】
上述した特許文献１で提案されているブースターを用いた場合も他の従来のブースターと同様に、上記の問題が生じる。すなわち、上記の問題は、特許文献１で提案されているブースターが有している下り周波数帯の帯域を切り換える機能によって解決できるものではない。
【０００６】
上記の問題を解決するためには、Ｖ−ＯＮＵとブースターとの間に新たに減衰器を設ける対策や、ブースター自体を取り除きＶ−ＯＮＵをテレビ受像機等に直接接続する対策を実行する必要がある。このため、例えば、ＣＡＴＶシステムから光運用システムへのシステム変更あるいは光運用システムからＣＡＴＶシステムへのシステム変更を行う場合、減衰器の取り付けやブースターの取り外しが必要となり、システム変更に手間がかかる。
【０００７】
なお、ブースターがＶ−ＯＮＵからの高周波信号を入力しないシステムからブースターがＶ−ＯＮＵからの高周波信号を入力するシステムへの変更、あるいは、ブースターがＶ−ＯＮＵからの高周波信号を入力するシステムからブースターがＶ−ＯＮＵからの高周波信号を入力しないシステムへの変更のみならず、ブースターの入力信号の信号レベルが変更するシステム変更の場合には、従来のブースターを用いている限り、減衰器の取り付けやブースターの取り外しが必要となる。
【０００８】
本発明は、上記の状況に鑑み、レベルの異なる複数の入力信号に対応可能なブースターを提供することを目的とする。
【課題を解決するための手段】
【０００９】
上記目的を達成するために本発明の一局面に係るブースターは、高周波信号を入力する入力端子と、前記入力端子に入力される前記高周波信号の種類に対応した複数のモードから一つのモードを選択するスイッチと、前記スイッチの選択状態に応じて減衰量を変更する減衰部とを備える構成とする。なお、前記減衰部の減衰量の変更には、前記減衰部の減衰量を零にする場合も含まれる。
【００１０】
このような構成によると、システムの変更によって入力信号である高周波信号のレベルが変更される場合、スイッチの操作のみで容易に対応することができる。
【００１１】
また、上り信号を増幅するための上り信号用増幅部を備え、前記入力端子が前記上り信号用増幅部によって増幅された前記上り信号を出力し、前記上り信号用増幅部への電源供給のＯＮ／ＯＦＦが前記スイッチの選択状態に応じて切り替わるようにしてもよい。これにより、上り信号用増幅部の不要な電力消費をなくすことができる。
【００１２】
また、前記スイッチが、前記高周波信号の周波数帯域がＵＨＦ帯域である場合に対応したＵＨＦモード、前記高周波信号の周波数帯域がＣＡＴＶ帯域である場合に対応したＣＡＴＶモード、及び前記高周波信号が光信号から電気信号に変換された信号である場合に対応した光運用モードの３つのモードから一つのモードを選択するスイッチであり、前記スイッチにて光運用モードが選択されているときには、前記スイッチにてＣＡＴＶモードが選択されているときに比べて、前記減衰部の減衰量が大きいようにしてもよい。
【００１３】
上記目的を達成するために本発明の他の局面に係るブースターは、高周波信号を入力する第１の入力端子と、中間周波信号又は前記中間周波信号と前記高周波信号との混合信号を入力する第２の入力端子と、前記第１の入力端子に前記高周波信号が入力され前記第２の入力端子に前記中間周波信号が入力される場合に対応した第１のモードと、前記第２の入力端子に前記混合信号が入力される場合に対応した第２のモードのいずれかを選択する第１のスイッチと、前記第１の入力端子又は前記第２の入力端子に入力される前記高周波信号の種類に対応した複数のモードから一つのモードを選択する第２のスイッチと、前記高周波信号を減衰させるための減衰量を前記第２のスイッチの選択状態に応じて変更する第１の減衰部と、前記中間周波信号を減衰させるための減衰量を前記第１のスイッチの選択状態及び前記第２のスイッチの選択状態に応じて変更する第２の減衰部とを備える構成とする。
【００１４】
このような構成によると、システムの変更によって、入力信号である高周波信号のレベルのみならず、高周波信号及び中間周波信号の入力形態並びに高周波信号のレベルに依存して中間周波信号のレベルも変更される場合、第１のスイッチ及び第２のスイッチの操作のみで容易に対応することができる。
【００１５】
また、上り信号を増幅するための上り信号用増幅部を備え、前記第１の入力端子又は前記第２の入力端子が前記上り信号用増幅部によって増幅された前記上り信号を出力し、前記上り信号用増幅部への電源供給のＯＮ／ＯＦＦが前記第２のスイッチの選択状態に応じて切り替わるようにしてもよい。これにより、上り信号用増幅部の不要な電力消費をなくすことができる。
【発明の効果】
【００１６】
本発明に係るブースターによると、レベルの異なる複数の入力信号にスイッチの操作のみで容易に対応することができる。
【図面の簡単な説明】
【００１７】
【図１】本発明の第１実施形態に係るブースターの要部構成を示すブロック図である。
【図２】本発明の第１実施形態に係るブースターの一例を示す回路図である。
【図３】本発明の第２実施形態に係るブースターの要部構成を示すブロック図である。
【図４】本発明の第２実施形態に係るブースターの一例を示す回路図である。
【図５】図４に示すブースターが備える論理回路（ＮＡＮＤ回路）の入出力特性を示す図である。
【図６】本発明の第１実施形態に係るブースターの変形例を示すブロック図である。
【図７】本発明の第１実施形態に係るブースターの他の変形例を示すブロック図である。
【発明を実施するための形態】
【００１８】
本発明の実施形態について図面を参照して以下に説明する。
【００１９】
＜第１実施形態＞
図１は、本発明の第１実施形態に係るブースターの要部構成を示すブロック図である。本発明の第１実施形態に係るブースターは、高周波信号を入力する入力端子１０１と、光運用モード（例えば７０〜７７０ＭＨｚ）と、ＣＡＴＶモード（例えば下り信号７０〜７７０ＭＨｚ、上り信号１０〜６０ＭＨｚ）と、ＵＨＦモード（例えば４７０〜７１０ＭＨｚまたは４７０〜７７０ＭＨｚ）とを切り換える光運用／ＣＡＴＶ／ＵＨＦ切換スイッチ１０２と、入力ＡＴＴ用スイッチ１０３と、高周波信号を減衰する減衰部１０４と、７１０ＭＨｚ／７７０ＭＨｚを切り換える周波数切換スイッチ１０５と、入力ＡＴＴ用スイッチ１０６と、高周波信号を増幅するアンプ１０７と、アンプ１０７によって増幅された高周波信号を出力する出力端子１０８とを備えている。なお、入力ＡＴＴは、入力レベルが高いときに減衰（例えば−１０ｄＢ）に設定される。
【００２０】
減衰部１０４は、光運用／ＣＡＴＶ／ＵＨＦ切換スイッチ１０２の選択状態に応じて減衰量を変更する。具体的には、減衰部１０４は、光運用／ＣＡＴＶ／ＵＨＦ切換スイッチ１０２にて光運用モードが選択されているときには、光運用／ＣＡＴＶ／ＵＨＦ切換スイッチ１０２にてＣＡＴＶモードが選択されているときに比べて、減衰量を大きくする。なお、光運用／ＣＡＴＶ／ＵＨＦ切換スイッチ１０２にてＣＡＴＶモードが選択されているときの減衰部１０４の減衰量は零であっても構わない。
【００２１】
入力端子１０１がＶ−ＯＮＵからの高周波信号を入力する場合、ユーザーあるいは施工業者は、光運用／ＣＡＴＶ／ＵＨＦ切換スイッチ１０２が光運用モードを選択するように、光運用／ＣＡＴＶ／ＵＨＦ切換スイッチ１０２を操作する。また、入力端子１０１がＣＡＴＶ局からの高周波信号を入力する場合、ユーザーあるいは施工業者は、光運用／ＣＡＴＶ／ＵＨＦ切換スイッチ１０２がＣＡＴＶモードを選択するように、光運用／ＣＡＴＶ／ＵＨＦ切換スイッチ１０２を操作する。また、入力端子１０１がＵＨＦアンテナからの高周波信号を入力する場合、ユーザーあるいは施工業者は、光運用／ＣＡＴＶ／ＵＨＦ切換スイッチ１０２がＵＨＦモードを選択するように、光運用／ＣＡＴＶ／ＵＨＦ切換スイッチ１０２を操作する。
【００２２】
Ｖ−ＯＮＵからの高周波信号はＣＡＴＶ局からの高周波信号に比べて信号レベルが高いが、光運用／ＣＡＴＶ／ＵＨＦ切換スイッチ１０２にて光運用モードが選択されているときには、光運用／ＣＡＴＶ／ＵＨＦ切換スイッチ１０２にてＣＡＴＶモードが選択されているときに比べて、減衰部１０４の減衰量が大きくなるので、光運用／ＣＡＴＶ／ＵＨＦ切換スイッチ１０２の操作のみで、ＣＡＴＶシステムから光運用システムへのシステム変更あるいは光運用システムからＣＡＴＶシステムへのシステム変更を容易に実現することができる。
【００２３】
次に、本発明の第１実施形態に係るブースターの一例について説明する。図２は、本発明の第１実施形態に係るブースターの一例を示す回路図である。
【００２４】
図２に示す回路構成のブースターは、第１の端子Ｔ１と、カットオフ周波数が７７０ＭＨｚであるＬＰＦ（Low Pass Filter）１と、カットオフ周波数が７０ＭＨｚであって下り信号を通過させる下り信号用ＨＰＦ（High Pass Filter）２と、内蔵している入力ＡＴＴの設定を例えば−１０ｄＢ／−５ｄＢ／０ｄＢのいずれかに切り換えるための入力ＡＴＴ用スイッチ３と、アッテネータ４と、カットオフ周波数が７１０ＭＨｚであるＬＰＦ５と、カットオフ周波数が４７０ＭＨｚであるＨＰＦ６と、内蔵している入力ＡＴＴの設定を例えば−１０ｄＢ／−５ｄＢ／０ｄＢのいずれかに切り換えるための入力ＡＴＴ用スイッチ７と、アンプ８と、混合分波器９と、アンプ１０と、カットオフ周波数が６０ＭＨｚであって上り信号を通過させる上り信号用ＬＰＦ１１と、２極３投スイッチＳＷ１と、双極双投スイッチＳＷ２と、直流阻止用コンデンサＣ１〜Ｃ１１と、高周波阻止用コイルＬ１〜Ｌ４と、抵抗Ｒ１と、ダイオードＤ１と、第２の端子Ｔ２とを備えている。２極３投スイッチＳＷ１において、接触子ｓと接触子ｓ’とは連動しており、接触子ｓによって極ｐと接点ａとが接続されているときは接触子ｓ’によって極ｐ’と接点ａ’とが接続され、接触子ｓによって極ｐと接点ｂとが接続されているときは接触子ｓ’によって極ｐ’と接点ｂ’とが接続され、接触子ｓによって極ｐと接点ｃとが接続されているときは接触子ｓ’によって極ｐ’と接点ｃ’とが接続される。同様に、双極双投スイッチＳＷ２において、接触子ｓと接触子ｓ’とは連動しており、接触子ｓによって極ｐと接点ａとが接続されているときは接触子ｓ’によって極ｐ’と接点ａ’とが接続され、接触子ｓによって極ｐと接点ｂとが接続されているときは接触子ｓ’によって極ｐ’と接点ｂ’とが接続される。
【００２５】
なお、第１の端子Ｔ１が入力端子１０１（図１参照）に対応し、２極３投スイッチＳＷ１が光運用／ＣＡＴＶ／ＵＨＦ切換スイッチ１０２（図１参照）に対応し、２極３投スイッチＳＷ１の接点ａ’と接点ｂ’との間に設けられるアッテネータ４を含む回路が減衰部１０４（図１参照）に対応し、アンプ８がアンプ１０７（図１参照）に対応し、第２の端子Ｔ２が出力端子１０８（図１参照）に対応している。
【００２６】
第１の端子Ｔ１は、ＬＰＦ１を介して、下り信号用ＨＰＦ２の入力端及び上り信号用ＬＰＦ１１の出力端に接続される。
【００２７】
下り信号用ＨＰＦ２の出力端は直流阻止用コンデンサＣ１を介して２極３投スイッチＳＷ１の極ｐに接続される。
【００２８】
２極３投スイッチＳＷ１の接点ａと接点ｂとは直接接続される。また、２極３投スイッチＳＷ１の接点ａは、直流阻止用コンデンサＣ２、入力ＡＴＴ用スイッチ３、及び直流阻止用コンデンサＣ３を介して２極３投スイッチＳＷ１の接点ａ’に接続されるともに、高周波阻止用コイルＬ１を介して２極３投スイッチＳＷ１の接点ａ’に接続される。さらに、２極３投スイッチＳＷ１の接点ａ’は、直流阻止用コンデンサＣ４、ダイオードＤ１、直流阻止用コンデンサＣ５、アッテネータ４、及び直流阻止用コンデンサＣ６を介して２極３投スイッチＳＷ１の接点ｂ’に接続される。なお、ダイオードＤ１のアノードは高周波阻止用コイルＬ２を介して２極３投スイッチＳＷ１の接点ｂ’に接続され、ダイオードＤ１のカソードは抵抗Ｒ１を介してグランド電位に接続される。
【００２９】
２極３投スイッチＳＷ１の接点ｃは直流阻止用コンデンサＣ７を介して双極双投スイッチＳＷ２の極ｐに接続される。双極双投スイッチＳＷ２の接点ａと接点ａ’とは直接接続される。双極双投スイッチＳＷ２の接点ｂはＬＰＦ５を介して双極双投スイッチＳＷ２の接点ｂ’に接続される。双極双投スイッチＳＷ２の極ｐ’はＨＰＦ６、入力ＡＴＴ用スイッチ７、及び直流阻止用コンデンサＣ８を介して２極３投スイッチＳＷ１の接点ｃ’に接続される。
【００３０】
２極３投スイッチＳＷ１の極ｐ’は直流阻止用コンデンサＣ９を介してアンプ８の入力端に接続される。アンプ８の出力端は混合分波器９等を介して第２の端子Ｔ２に接続される。
【００３１】
アンプ１０の入力端は直流阻止用コンデンサＣ１０、混合分波器９等を介して第２の端子Ｔ２に接続される。また、アンプ１０の出力端は直流阻止用コンデンサＣ１１を介して上り信号用ＬＰＦ１１の入力端に接続される。
【００３２】
２極３投スイッチＳＷ１の極ｐ’には、高周波阻止用コイルＬ３を介して直流電圧ＶＤＣ１が印加される。また、２極３投スイッチＳＷ１の極ｐは、高周波阻止用コイルＬ４を介してアンプ１０の電源端子に接続される。
【００３３】
上記のような構成である図２に示すブースターの動作について説明する。
【００３４】
まず、第１の端子Ｔ１がＣＡＴＶ局からの高周波信号を入力する場合の動作について説明する。この場合、第１の端子Ｔ１は、ＣＡＴＶ下り入力端子及びＣＡＴＶ上り出力端子としての役割を担い、第２の端子Ｔ２は、ＣＡＴＶ下り出力端子及びＣＡＴＶ上り入力端子としての役割を担う。また、この場合、ユーザーあるいは施工業者による２極３投スイッチＳＷ１の操作によって、２極３投スイッチＳＷ１は接点ｂ、ｂ’、ｃ及びｃ’を選択せずに接点ａ及びａ’を選択する。これにより、極ｐと接点ｂ及びｃとが非接続状態になり、極ｐ’と接点ｂ’及びｃ’とが非接続状態になり、極ｐと接点ａとが接続状態になり、極ｐ’と接点ａ’とが接続状態になって、２極３投スイッチＳＷ１はＣＡＴＶモードを選択する。
【００３５】
第１の端子Ｔ１に入力されたＣＡＴＶ局からの高周波信号は、ＬＰＦ１及び下り信号用ＨＰＦ２を経由してから入力ＡＴＴ用スイッチ３でレベルを調整され、さらにアンプ８によって増幅され、最終的に第２の端子Ｔ２から出力される。
【００３６】
また、直流電圧ＶＤＣ１が、高周波阻止用コイルＬ３、２極３投スイッチＳＷ１の極ｐ’、２極３投スイッチＳＷ１の接点ａ’、高周波阻止用コイルＬ１、２極３投スイッチＳＷ１の接点ａ、２極３投スイッチＳＷ１の極ｐ、及び高周波阻止用コイルＬ４を介して、アンプ１０の電源端子に供給される。これにより、アンプ１０が電源ＯＮ状態になる。したがって、第２の端子Ｔ２に入力され得る上り信号を、アンプ１０によって増幅し、最終的に第１の端子Ｔ１からＣＡＴＶ局に出力することができる。
【００３７】
次に、第１の端子Ｔ１がＶ−ＯＮＵからの高周波信号を入力する場合の動作について説明する。この場合、第１の端子Ｔ１は、光運用入力端子としての役割を担い、第２の端子Ｔ２は、光運用出力端子としての役割を担う。また、この場合、ユーザーあるいは施工業者による２極３投スイッチＳＷ１の操作によって、２極３投スイッチＳＷ１は接点ａ、ａ’、ｃ、及びｃ’を選択せずに接点ｂ及びｂ’を選択する。これにより、極ｐと接点ａ及びｃとが非接続状態になり、極ｐ’と接点ａ’及びｃ’とが非接続状態になり、極ｐと接点ｂとが接続状態になり、極ｐ’と接点ｂ’とが接続状態になって、２極３投スイッチＳＷ１は光運用モードを選択する。
【００３８】
第１の端子Ｔ１に入力されたＶ−ＯＮＵからの高周波信号は、ＬＰＦ１及び下り信号用ＨＰＦ２を経由してから入力ＡＴＴ用スイッチ３でレベルを調整され、アノードへの直流電圧ＶＤＣ１の印加によりオン状態になっているダイオードＤ１を経由して、アッテネータ４によって減衰され、さらにアンプ８によって増幅され、最終的に第２の端子Ｔ２から出力される。
【００３９】
また、直流電圧ＶＤＣ１は直流阻止用コンデンサＣ４によってカットされるため、直流電圧ＶＤＣ１はアンプ１０の電源端子に供給されない。これにより、アンプ１０が電源ＯＦＦ状態になり、アンプ１０の不要な電力消費をなくすことができる。
【００４０】
次に、第１の端子Ｔ１がＵＨＦアンテナからの高周波信号を入力する場合の動作について説明する。この場合、第１の端子Ｔ１は、ＵＨＦ入力端子としての役割を担い、第２の端子Ｔ２は、ＵＨＦ出力端子としての役割を担う。また、この場合、ユーザーあるいは施工業者による２極３投スイッチＳＷ１の操作によって、２極３投スイッチＳＷ１は接点ａ、ａ’、ｂ、及びｂ’を選択せずに接点ｃ及びｃ’を選択する。これにより、極ｐと接点ａ及びｂとが非接続状態になり、極ｐ’と接点ａ’及びｂ’とが非接続状態になり、極ｐと接点ｃとが接続状態になり、極ｐ’と接点ｃ’とが接続状態になって、２極３投スイッチＳＷ１はＵＨＦモードを選択する。
【００４１】
第１の端子Ｔ１に入力されたＵＨＦアンテナからの高周波信号は、ＬＰＦ１及び下り信号用ＨＰＦ２を経由してから、双極双投スイッチＳＷ２が接点ａ及びａ’を選択している場合はＬＰＦ５を介さずに、双極双投スイッチＳＷ２が接点ｂ及びｂ’を選択している場合はＬＰＦ５を介して、ＨＰＦ６を経由し入力ＡＴＴ用スイッチ７でレベルを調整され、さらにアンプ８によって増幅され、最終的に第２の端子Ｔ２から出力される。
【００４２】
また、直流電圧ＶＤＣ１は直流阻止用コンデンサＣ８によってカットされるため、直流電圧ＶＤＣ１はアンプ１０の電源端子に供給されない。これにより、アンプ１０が電源ＯＦＦ状態になり、アンプ１０の不要な電力消費をなくすことができる。
【００４３】
＜第２実施形態＞
図３は、本発明の第２実施形態に係るブースターの要部構成を示すブロック図である。本発明の第２実施形態に係るブースターは、高周波信号を入力する第１の入力端子２０１と、中間周波信号又は中間周波信号と高周波信号との混合信号を入力する第２の入力端子２０２と、別入力モードと混合入力モードとを切り換える別入力／混合入力切換スイッチ２０３と、光運用モードとＣＡＴＶモードとを切り換える光運用／ＣＡＴＶ切換スイッチ２０４と、高周波信号を減衰する減衰部２０５と、高周波信号を増幅するアンプ２０６と、中間周波信号を減衰する減衰部２０７と、中間周波信号を増幅するアンプ２０８と、減衰部２０５によって減衰されアンプ２０６によって増幅された高周波信号と減衰部２０７によって減衰されアンプ２０８によって増幅された中間周波信号とを混合する混合器２０９と、混合器２０９からの混合信号を出力する出力端子２１０とを備えている。
【００４４】
減衰部２０５は、光運用／ＣＡＴＶ切換スイッチ２０４の選択状態に応じて減衰量を変更する。具体的には、減衰部２０５は、光運用／ＣＡＴＶ切換スイッチ２０４にて光運用モードが選択されているときには、光運用／ＣＡＴＶ切換スイッチ２０４にてＣＡＴＶモードが選択されているときに比べて、減衰量を大きくする。なお、光運用／ＣＡＴＶ切換スイッチ２０４にてＣＡＴＶモードが選択されているときの減衰部２０５の減衰量は零であっても構わない。
【００４５】
減衰部２０７は、別入力／混合入力切換スイッチ２０３の選択状態及び光運用／ＣＡＴＶ切換スイッチ２０４の選択状態に応じて減衰量を変更する。具体的には、減衰部２０７は、別入力／混合入力切換スイッチ２０３にて混合入力モードが選択され尚かつ光運用／ＣＡＴＶ切換スイッチ２０４にて光運用モードが選択されているときには、それ以外のときに比べて、減衰量を大きくする。なお、減衰部２０７は、別入力／混合入力切換スイッチ２０３にて混合入力モードが選択され尚かつ光運用／ＣＡＴＶ切換スイッチ２０４にて光運用モードが選択されているとき以外の減衰部２０７の減衰量は零であっても構わない。
【００４６】
第１の入力端子２０１がＶ−ＯＮＵからの高周波信号を入力し、第２の入力端子２０２が衛星放送受信用アンテナに付属するＬＮＢ（Low Noise Block Converter）からの衛星放送中間周波（ＣＳ／ＢＳ−ＩＦ）信号を入力する場合、ユーザーあるいは施工業者は、別入力／混合入力切換スイッチ２０３が別入力モードを選択するように、別入力／混合入力切換スイッチ２０３を操作し、光運用／ＣＡＴＶ切換スイッチ２０４が光運用モードを選択するように、光運用／ＣＡＴＶ切換スイッチ２０４を操作する。
【００４７】
第１の入力端子２０１がＣＡＴＶ局からの高周波信号を入力し、第２の入力端子２０２が衛星放送受信用アンテナに付属するＬＮＢからのＣＳ／ＢＳ−ＩＦ信号を入力する場合、ユーザーあるいは施工業者は、別入力／混合入力切換スイッチ２０３が別入力モードを選択するように、別入力／混合入力切換スイッチ２０３を操作し、光運用／ＣＡＴＶ切換スイッチ２０４がＣＡＴＶモードを選択するように、光運用／ＣＡＴＶ切換スイッチ２０４を操作する。
【００４８】
第２の入力端子２０２がＣＳ／ＢＳ−ＩＦ信号も出力するＶ−ＯＮＵからの信号（高周波信号とＣＳ／ＢＳ−ＩＦ信号との混合信号）を入力する場合、ユーザーあるいは施工業者は、別入力／混合入力切換スイッチ２０３が混合入力モードを選択するように、別入力／混合入力切換スイッチ２０３を操作し、光運用／ＣＡＴＶ切換スイッチ２０４が光運用モードを選択するように、光運用／ＣＡＴＶ切換スイッチ２０４を操作する。なお、ＣＳ／ＢＳ−ＩＦ信号も出力するＶ−ＯＮＵとしては、例えば特許文献２で開示されている個人宅に設置される光受信機が挙げられる。
【００４９】
第２の入力端子２０２が混合器（ＣＡＴＶ局からの高周波信号と衛星放送受信用アンテナに付属するＬＮＢからのＣＳ／ＢＳ−ＩＦ信号とを混合する混合器）からの信号を入力する場合、ユーザーあるいは施工業者は、別入力／混合入力切換スイッチ２０３が混合入力モードを選択するように、別入力／混合入力切換スイッチ２０３を操作し、光運用／ＣＡＴＶ切換スイッチ２０４がＣＡＴＶモードを選択するように、光運用／ＣＡＴＶ切換スイッチ２０４を操作する。
【００５０】
Ｖ−ＯＮＵからの高周波信号はＣＡＴＶ局からの高周波信号に比べて信号レベルが高いが、光運用／ＣＡＴＶ切換スイッチ２０４にて光運用モードが選択されているときには、光運用／ＣＡＴＶ切換スイッチ２０４にてＣＡＴＶモードが選択されているときに比べて、減衰部２０５の減衰量が大きくなるので、光運用／ＣＡＴＶ切換スイッチ２０４の操作のみで、ＣＡＴＶシステムから光運用システムへのシステム変更あるいは光運用システムからＣＡＴＶシステムへのシステム変更を容易に実現することができる。
【００５１】
また、ＣＳ／ＢＳ−ＩＦ信号も出力するＶ−ＯＮＵからの信号に含まれるＣＳ／ＢＳ−ＩＦ信号は、衛星放送受信用アンテナに付属するＬＮＢからのＣＳ／ＢＳ−ＩＦ信号に比べて信号レベルが高いが、別入力／混合入力切換スイッチ２０３にて混合入力モードが選択され尚かつ光運用／ＣＡＴＶ切換スイッチ２０４にて光運用モードが選択されているときには、それ以外のときに比べて、減衰部２０７の減衰量が大きくなるので、別入力／混合入力切換スイッチ２０３及び光運用／ＣＡＴＶ切換スイッチ２０４の操作のみで、ＣＳ／ＢＳ−ＩＦ信号も出力するＶ−ＯＮＵを用いないシステムからＣＳ／ＢＳ−ＩＦ信号も出力するＶ−ＯＮＵを用いるシステムへのシステム変更あるいはＣＳ／ＢＳ−ＩＦ信号も出力するＶ−ＯＮＵを用いるシステムからＣＳ／ＢＳ−ＩＦ信号も出力するＶ−ＯＮＵを用いないシステムへのシステム変更を容易に実現することができる。
【００５２】
次に、本発明の第２実施形態に係るブースターの一例について説明する。図４は、本発明の第２実施形態に係るブースターの一例を示す回路図である。
【００５３】
図４に示す回路構成のブースターは、第１の端子Ｔ１１と、第２の端子Ｔ１２と、カットオフ周波数が７７０ＭＨｚであるＬＰＦ１２及び１３と、カットオフ周波数が７０ＭＨｚであって下り信号を通過させる下り信号用ＨＰＦ１４と、アッテネータ１５と、アンプ１６と、混合分波器１７と、アンプ１８と、カットオフ周波数が６０ＭＨｚであって上り信号を通過させる上り信号用ＬＰＦ１９と、カットオフ周波数が７７０ＭＨｚであるＬＰＦ２０と、カットオフ周波数が１０３２ＭＨｚであってＣＳ／ＢＳ−ＩＦ信号を通過させるＣＳ／ＢＳ−ＩＦ信号用ＨＰＦ２１と、アッテネータ２２と、アンプ２３と、混合分波器２４と、論理回路（ＮＡＮＤ回路）２５と、論理回路（ＮＯＴ回路）２６と、双極双投スイッチＳＷ１１及びＳＷ１２と、直流阻止用コンデンサＣ１２〜Ｃ２２と、ダイオードＤ１１〜Ｄ１５と、高周波阻止用コイルＬ１１〜Ｌ１７と、抵抗Ｒ１１〜Ｒ１６と、第３の端子Ｔ１３とを備えている。双極双投スイッチＳＷ１１において、接触子ｓと接触子ｓ’とは連動しており、接触子ｓによって極ｐと接点ａとが接続されているときは接触子ｓ’によって極ｐ’と接点ａ’とが接続され、接触子ｓによって極ｐと接点ｂとが接続されているときは接触子ｓ’によって極ｐ’と接点ｂ’とが接続される。同様に、双極双投スイッチＳＷ１２において、接触子ｓと接触子ｓ’とは連動しており、接触子ｓによって極ｐと接点ａとが接続されているときは接触子ｓ’によって極ｐ’と接点ａ’とが接続され、接触子ｓによって極ｐと接点ｂとが接続されているときは接触子ｓ’によって極ｐ’と接点ｂ’とが接続される。
【００５４】
なお、第１の端子Ｔ１１が第１の入力端子２０１（図３参照）に対応し、第２の端子Ｔ１２が第２の入力端子２０２（図３参照）に対応し、双極双投スイッチＳＷ１１が別入力／混合入力切換スイッチ２０３（図３参照）に対応し、双極双投スイッチＳＷ１２が光運用／ＣＡＴＶ切換スイッチ２０４（図３参照）に対応し、双極双投スイッチＳＷ１２の接点ａと接点ａ’とを接続する接続線及びアッテネータ１５が減衰部２０５（図３参照）に対応し、アンプ１６がアンプ２０６（図３参照）に対応し、ＣＳ／ＢＳ−ＩＦ信号用ＨＰＦ２１とアンプ２３との間に設けられるダイオードＤ１２〜Ｄ１５及びアッテネータ２２を含む回路が減衰部２０７（図３参照）に対応し、アンプ２３がアンプ２０８（図３参照）に対応し、混合分波器２４が混合器２０９（図３参照）に対応し、第３の端子Ｔ１３が出力端子２１０（図３参照）に対応している。
【００５５】
第１の端子Ｔ１１は、ＬＰＦ１２及び直流阻止用コンデンサＣ１２を介して双極双投スイッチＳＷ１１の接点ａ及び接点ｂ’に接続される。双極双投スイッチＳＷ１１の極ｐは、直流阻止用コンデンサＣ１３及びＬＰＦ１３を介して、下り信号用ＨＰＦ１４の入力端及び上り信号用ＬＰＦ１９の出力端に接続される。
【００５６】
下り信号用ＨＰＦ１４の出力端は直流阻止用コンデンサＣ１４を介して双極双投スイッチＳＷ１２の極ｐに接続される。
【００５７】
双極双投スイッチＳＷ１２の接点ａと接点ａ’とは直接接続される。また、双極双投スイッチＳＷ１２の接点ｂは、アッテネータ１５、及び直流阻止用コンデンサＣ１５を介して双極双投スイッチＳＷ１２の接点ｂ’に接続される。
【００５８】
双極双投スイッチＳＷ１２の極ｐ’は直流阻止用コンデンサＣ１６を介してアンプ１６の入力端に接続される。アンプ１６の出力端は混合分波器１７及び２４等を介して第３の端子Ｔ１３に接続される。
【００５９】
アンプ１８の入力端は直流阻止用コンデンサＣ１７、混合分波器１７及び２４等を介して第３の端子Ｔ１３に接続される。また、アンプ１８の出力端は直流阻止用コンデンサＣ１８を介して上り信号用ＬＰＦ１９の入力端に接続される。
【００６０】
第２の端子Ｔ１２は、ＬＰＦ２０の入力端及びＣＳ／ＢＳ−ＩＦ信号用ＨＰＦ２１の入力端に接続される。ＬＰＦ２０の出力端は直流阻止用コンデンサＣ１９を介してダイオードＤ１１のカソードに接続され、ダイオードＤ１１のアノードは双極双投スイッチＳＷ１１の接点ａ’及び接点ｂに接続される。
【００６１】
ＣＳ／ＢＳ−ＩＦ信号用ＨＰＦ２１の出力端はダイオードＤ１２及びＤ１４の各カソードに接続される。ダイオードＤ１４のアノードは直流阻止用コンデンサＣ２０、アッテネータ２２、及び直流阻止用コンデンサＣ２１を介してダイオードＤ１５のアノードに接続される。また、ダイオードＤ１２のアノードはダイオードＤ１３のアノードに接続され、ダイオードＤ１３及びＤ１５の各カソードは直流阻止用コンデンサＣ２２、アンプ２３、混合分波器２４等を介して第３の端子Ｔ１３に接続される。
【００６２】
双極双投スイッチＳＷ１２の極ｐ’には、高周波阻止用コイルＬ１１を介して直流電圧ＶＤＣ１が印加される。また、双極双投スイッチＳＷ１２の極ｐは、高周波阻止用コイルＬ１２を介してアンプ１８の電源端子に接続される。
【００６３】
双極双投スイッチＳＷ１１の極ｐには、高周波阻止用コイルＬ１３を介して直流電圧ＶＤＣ２が印加される。
【００６４】
双極双投スイッチＳＷ１１の極ｐ’は、終端用抵抗である抵抗Ｒ１１を介してグランド電位に接続される。ダイオードＤ１１のカソードはバイアス抵抗である抵抗Ｒ１２を介してグランド電位に接続され、ダイオードＤ１２及びＤ１４の各カソードはバイアス抵抗である抵抗Ｒ１３を介してグランド電位に接続され、ダイオードＤ１３及びＤ１５の各カソードはバイアス抵抗である抵抗Ｒ１４を介してグランド電位に接続される。双極双投スイッチＳＷ１２の接点ｂ’はバイアス抵抗である抵抗Ｒ１５を介してグランド電位に接続される。双極双投スイッチＳＷ１１の接点ｂはバイアス抵抗である抵抗Ｒ１６を介してグランド電位に接続される。
【００６５】
双極双投スイッチＳＷ１１の接点ｂは高周波阻止用コイルＬ１４を介して論理回路２５の第１の入力端ＩＮ１に接続され、双極双投スイッチＳＷ１２の接点ｂ’は高周波阻止用コイルＬ１５を介して論理回路２５の第２の入力端ＩＮ２に接続され、論理回路２５の出力端ＯＵＴはダイオードＤ１２及びＤ１３の各アノード並びに論理回路２６の入力端に接続される。論理回路２６の出力端は、高周波阻止用コイルＬ１６を介してダイオードＤ１４のアノードに接続され、高周波阻止用コイルＬ１７を介してダイオードＤ１５のアノードに接続される。また、論理回路２５の電源端子には直流電圧ＶＤＣ３が供給され、論理回路２６の電源端子には直流電圧ＶＤＣ４が供給される。
【００６６】
論理回路２５は、正論理で動作するＮＡＮＤ回路であって、図５に示す通り、第１の入力端ＩＮ１に供給される信号ＳＩＮ１、第２の入力端ＩＮ２に供給される信号ＳＩＮ２がともにＨｉｇｈレベルであるときに、出力端ＯＵＴから出力する信号ＳＯＵＴをＬｏｗレベルにし、第１の入力端ＩＮ１に供給される信号ＳＩＮ１、第２の入力端ＩＮ２に供給される信号ＳＩＮ２の少なくとも一方がＬｏｗレベルであるときに、出力端ＯＵＴから出力する信号ＳＯＵＴをＨｉｇｈレベルにする。論理回路２６は、ＮＯＴ回路であって、入力端に供給される信号を反転して出力する。
【００６７】
上記のような構成である図４に示すブースターの動作について説明する。
【００６８】
まず、第１の端子Ｔ１１がＣＡＴＶ局からの高周波信号を入力し、第２の端子Ｔ１２が衛星放送受信用アンテナに付属するＬＮＢからのＣＳ／ＢＳ−ＩＦ信号を入力する場合の動作について説明する。この場合、第１の端子Ｔ１１は、ＣＡＴＶ下り入力端子及びＣＡＴＶ上り出力端子としての役割を担い、第２の端子Ｔ１２は、ＣＳ／ＢＳ−ＩＦ入力端子としての役割を担い、第３の端子Ｔ１３は、ＣＡＴＶ下り出力端子、ＣＡＴＶ上り入力端子、及びＣＳ／ＢＳ−ＩＦ出力端子としての役割を担う。また、この場合、ユーザーあるいは施工業者による双極双投スイッチＳＷ１１の操作によって、双極双投スイッチＳＷ１１は接点ｂ及びｂ’を選択せずに接点ａ及びａ’を選択する。これにより、極ｐと接点ｂとが非接続状態になり、極ｐ’と接点ｂ’とが非接続状態になり、極ｐと接点ａとが接続状態になり、極ｐ’と接点ａ’とが接続状態になって、双極双投スイッチＳＷ１１は別入力モードを選択する。また、この場合、ユーザーあるいは施工業者による双極双投スイッチＳＷ１２の操作によって、双極双投スイッチＳＷ１２は接点ｂ及びｂ’を選択せずに接点ａ及びａ’を選択する。これにより、極ｐと接点ｂとが非接続状態になり、極ｐ’と接点ｂ’とが非接続状態になり、極ｐと接点ａとが接続状態になり、極ｐ’と接点ａ’とが接続状態になって、双極双投スイッチＳＷ１２はＣＡＴＶモードを選択する。
【００６９】
第１の端子Ｔ１１に入力されたＣＡＴＶ局からの高周波信号は、ＬＰＦ１２及び１３並びに下り信号用ＨＰＦ１４を経由してからアッテネータ１５を経由せずにアンプ１６に到達し、アンプ１６によって増幅され、さらに混合分波器２４によってＣＳ／ＢＳ−ＩＦ信号と混合され、最終的に第３の端子Ｔ１３から出力される。
【００７０】
ダイオードＤ１１のアノードが、双極双投スイッチＳＷ１１の接点ａ’、双極双投スイッチＳＷ１１の極ｐ’、及び抵抗Ｒ１１を介してグランド電位に接続されるので、ダイオードＤ１１はＯＦＦ状態になる。
【００７１】
論理回路２５の第１の入力端ＩＮ１が、高周波阻止用コイルＬ１４、双極双投スイッチＳＷ１１の接点ｂ、抵抗Ｒ１６を介してグランド電位に接続されるので、論理回路２５の第１の入力端ＩＮ１に供給される信号ＳＩＮ１はＬｏｗレベルになる。論理回路２５の第２の入力端ＩＮ２が、高周波阻止用コイルＬ１５、双極双投スイッチＳＷ１２の接点ｂ’、抵抗Ｒ１５を介してグランド電位に接続されるので、論理回路２５の第２の入力端ＩＮ２に供給される信号ＳＩＮ２もＬｏｗレベルになる。したがって、論理回路２５の出力端ＯＵＴから出力される信号ＳＯＵＴがＨｉｇｈレベルになり、ダイオードＤ１２及びＤ１３はＯＮ状態になる。一方、論理回路２６の出力信号がＬｏｗレベルになるのでダイオードＤ１４及びＤ１５はＯＦＦ状態になる。
【００７２】
第２の端子Ｔ１２に入力されたＣＳ／ＢＳ−ＩＦ信号は、ＣＳ／ＢＳ−ＩＦ信号用ＨＰＦ２１を経由してからアッテネータ２２を経由せずにＯＮ状態であるダイオードＤ１２及びＤ１３を経由してアンプ２３に到達し、アンプ２３によって増幅され、さらに混合分波器２４によって高周波信号と混合され、最終的に第３の端子Ｔ１３から出力される。
【００７３】
また、直流電圧ＶＤＣ１が、高周波阻止用コイルＬ１１、双極双投スイッチＳＷ１２の極ｐ’、双極双投スイッチＳＷ１２の接点ａ’双極双投スイッチＳＷ１２の接点ａ、双極双投スイッチＳＷ１２の極ｐ、及び高周波阻止用コイルＬ１２を介して、アンプ１８の電源端子に供給される。これにより、アンプ１８が電源ＯＮ状態になる。したがって、第３の端子Ｔ１３に入力され得る上り信号を、アンプ１８によって増幅し、最終的に第１の端子Ｔ１１からＣＡＴＶ局に出力することができる。
【００７４】
次に、第１の端子Ｔ１１がＶ−ＯＮＵからの高周波信号を入力し、第２の端子Ｔ１２が衛星放送受信用アンテナに付属するＬＮＢからのＣＳ／ＢＳ−ＩＦ信号を入力する場合の動作について説明する。この場合、第１の端子Ｔ１１は、光運用入力端子としての役割を担い、第２の端子Ｔ１２は、ＣＳ／ＢＳ−ＩＦ入力端子としての役割を担い、第３の端子Ｔ１３は、光運用出力端子及びＣＳ／ＢＳ−ＩＦ出力端子としての役割を担う。また、この場合、ユーザーあるいは施工業者による双極双投スイッチＳＷ１１の操作によって、双極双投スイッチＳＷ１１は接点ｂ及びｂ’を選択せずに接点ａ及びａ’を選択する。これにより、極ｐと接点ｂとが非接続状態になり、極ｐ’と接点ｂ’とが非接続状態になり、極ｐと接点ａとが接続状態になり、極ｐ’と接点ａ’とが接続状態になって、双極双投スイッチＳＷ１１は別入力モードを選択する。また、この場合、ユーザーあるいは施工業者による双極双投スイッチＳＷ１２の操作によって、双極双投スイッチＳＷ１２は接点ａ及びａ’を選択せずに接点ｂ及びｂ’を選択する。これにより、極ｐと接点ａとが非接続状態になり、極ｐ’と接点ａ’とが非接続状態になり、極ｐと接点ｂとが接続状態になり、極ｐ’と接点ｂ’とが接続状態になって、双極双投スイッチＳＷ１２は光運用モードを選択する。
【００７５】
第１の端子Ｔ１１に入力されたＶ−ＯＮＵからの高周波信号は、ＬＰＦ１２及び１３並びに下り信号用ＨＰＦ１４を経由してからアッテネータ１５を経由してアンプ１６に到達し、アンプ１６によって増幅され、さらに混合分波器２４によってＣＳ／ＢＳ−ＩＦ信号と混合され、最終的に第３の端子Ｔ１３から出力される。
【００７６】
ダイオードＤ１１のアノードが、双極双投スイッチＳＷ１１の接点ａ’、双極双投スイッチＳＷ１１の極ｐ’、及び抵抗Ｒ１１を介してグランド電位に接続されるので、ダイオードＤ１１はＯＦＦ状態になる。
【００７７】
論理回路２５の第１の入力端ＩＮ１が、高周波阻止用コイルＬ１４、双極双投スイッチＳＷ１１の接点ｂ、抵抗Ｒ１６を介してグランド電位に接続されるので、論理回路２５の第１の入力端ＩＮ１に供給される信号ＳＩＮ１はＬｏｗレベルになる。論理回路２５の第２の入力端ＩＮ２に、高周波阻止用コイルＬ１５、双極双投スイッチＳＷ１２の接点ｂ’、双極双投スイッチＳＷ１２の極ｐ’、高周波阻止用コイルＬ１１を介して直流電圧ＶＤＣ１が供給されるので、論理回路２５の第２の入力端ＩＮ２に供給される信号ＳＩＮ２はＨｉｇｈレベルになる。したがって、論理回路２５の出力端ＯＵＴから出力される信号ＳＯＵＴがＨｉｇｈレベルになり、ダイオードＤ１２及びＤ１３はＯＮ状態になる。一方、論理回路２６の出力信号がＬｏｗレベルになるのでダイオードＤ１４及びＤ１５はＯＦＦ状態になる。
【００７８】
第２の端子Ｔ１２に入力されたＣＳ／ＢＳ−ＩＦ信号は、ＣＳ／ＢＳ−ＩＦ信号用ＨＰＦ２１を経由してからアッテネータ２２を経由せずにＯＮ状態であるダイオードＤ１２及びＤ１３を経由してアンプ２３に到達し、アンプ２３によって増幅され、さらに混合分波器２４によって高周波信号と混合され、最終的に第３の端子Ｔ１３から出力される。
【００７９】
また、直流電圧ＶＤＣ１は直流阻止用コンデンサＣ１５によってカットされるため、直流電圧ＶＤＣ１はアンプ１８の電源端子に供給されない。これにより、アンプ１８が電源ＯＦＦ状態になり、アンプ１８の不要な電力消費をなくすことができる。
【００８０】
次に、第２の端子Ｔ１２がＣＳ／ＢＳ−ＩＦ信号も出力するＶ−ＯＮＵからの信号（高周波信号とＣＳ／ＢＳ−ＩＦ信号との混合信号）を入力する場合の動作について説明する。この場合、第２の端子Ｔ１２は、光運用入力端子及びＣＳ／ＢＳ−ＩＦ入力端子としての役割を担い、第３の端子Ｔ１３は、光運用出力端子及びＣＳ／ＢＳ−ＩＦ出力端子としての役割を担う。また、この場合、ユーザーあるいは施工業者による双極双投スイッチＳＷ１１の操作によって、双極双投スイッチＳＷ１１は接点ａ及びａ’を選択せずに接点ｂ及びｂ’を選択する。これにより、極ｐと接点ａとが非接続状態になり、極ｐ’と接点ａ’とが非接続状態になり、極ｐと接点ｂとが接続状態になり、極ｐ’と接点ｂ’とが接続状態になって、双極双投スイッチＳＷ１１は混合入力モードを選択する。また、この場合、ユーザーあるいは施工業者による双極双投スイッチＳＷ１２の操作によって、双極双投スイッチＳＷ１２は接点ａ及びａ’を選択せずに接点ｂ及びｂ’を選択する。これにより、極ｐと接点ａとが非接続状態になり、極ｐ’と接点ａ’とが非接続状態になり、極ｐと接点ｂとが接続状態になり、極ｐ’と接点ｂ’とが接続状態になって、双極双投スイッチＳＷ１２は光運用モードを選択する。
【００８１】
ダイオードＤ１１のアノードに、双極双投スイッチＳＷ１１の接点ｂ、双極双投スイッチＳＷ１１の極ｐ、及び高周波阻止用コイルＬ１３を介して直流電圧ＶＤＣ２が供給されるので、ダイオードＤ１１はＯＮ状態になる。
【００８２】
第２の端子Ｔ１２に入力された混合信号に含まれる高周波信号は、ＬＰＦ２０及びＯＮ状態であるダイオードＤ１１を経由し、ＬＰＦ１３及び下り信号用ＨＰＦ１４を経由してからアッテネータ１５を経由してアンプ１６に到達し、アンプ１６によって増幅され、さらに混合分波器２４によってＣＳ／ＢＳ−ＩＦ信号と混合され、最終的に第３の端子Ｔ１３から出力される。
【００８３】
論理回路２５の第１の入力端ＩＮ１に、高周波阻止用コイルＬ１４、双極双投スイッチＳＷ１１の接点ｂ、双極双投スイッチＳＷ１１の極ｐ、及び高周波阻止用コイルＬ１３を介して直流電圧ＶＤＣ２が供給されるので、論理回路２５の第１の入力端ＩＮ１に供給される信号ＳＩＮ１はＨｉｇｈレベルになる。論理回路２５の第２の入力端ＩＮ２に、高周波阻止用コイルＬ１５、双極双投スイッチＳＷ１２の接点ｂ’、双極双投スイッチＳＷ１２の極ｐ’、高周波阻止用コイルＬ１１を介して直流電圧ＶＤＣ１が供給されるので、論理回路２５の第２の入力端ＩＮ２に供給される信号ＳＩＮ２もＨｉｇｈレベルになる。したがって、論理回路２５の出力端ＯＵＴから出力される信号ＳＯＵＴがＬｏｗレベルになり、ダイオードＤ１２及びＤ１３はＯＦＦ状態になる。一方、論理回路２６の出力信号がＨｉｇｈレベルになるのでダイオードＤ１４及びＤ１５はＯＮ状態になる。
【００８４】
第２の端子Ｔ１２に混合信号に含まれるＣＳ／ＢＳ−ＩＦ信号は、ＣＳ／ＢＳ−ＩＦ信号用ＨＰＦ２１を経由してから、ＯＮ状態であるダイオードＤ１４、アッテネータ２２、及びＯＮ状態であるダイオードＤ１５を経由してアンプ２３に到達し、アンプ２３によって増幅され、さらに混合分波器２４によって高周波信号と混合され、最終的に第３の端子Ｔ１３から出力される。
【００８５】
また、直流電圧ＶＤＣ１は直流阻止用コンデンサＣ１５によってカットされるため、直流電圧ＶＤＣ１はアンプ１８の電源端子に供給されない。これにより、アンプ１８が電源ＯＦＦ状態になり、アンプ１８の不要な電力消費をなくすことができる。
【００８６】
最後に、第２の端子Ｔ１２が混合器（ＣＡＴＶ局からの高周波信号と衛星放送受信用アンテナに付属するＬＮＢからのＣＳ／ＢＳ−ＩＦ信号とを混合する混合器）からの信号を入力する場合の動作について説明する。この場合、第２の端子Ｔ１２は、ＣＡＴＶ下り入力端子、ＣＡＴＶ上り出力端子、及びＣＳ／ＢＳ−ＩＦ入力端子としての役割を担い、第３の端子Ｔ１３は、ＣＡＴＶ下り出力端子、ＣＡＴＶ上り入力端子、及びＣＳ／ＢＳ−ＩＦ出力端子としての役割を担う。また、この場合、ユーザーあるいは施工業者による双極双投スイッチＳＷ１１の操作によって、双極双投スイッチＳＷ１１は接点ａ及びａ’を選択せずに接点ｂ及びｂ’を選択する。これにより、極ｐと接点ａとが非接続状態になり、極ｐ’と接点ａ’とが非接続状態になり、極ｐと接点ｂとが接続状態になり、極ｐ’と接点ｂ’とが接続状態になって、双極双投スイッチＳＷ１１は混合入力モードを選択する。また、この場合、ユーザーあるいは施工業者による双極双投スイッチＳＷ１２の操作によって、双極双投スイッチＳＷ１２は接点ｂ及びｂ’を選択せずに接点ａ及びａ’を選択する。これにより、極ｐと接点ｂとが非接続状態になり、極ｐ’と接点ｂ’とが非接続状態になり、極ｐと接点ａとが接続状態になり、極ｐ’と接点ａ’とが接続状態になって、双極双投スイッチＳＷ１２はＣＡＴＶモードを選択する。
【００８７】
ダイオードＤ１１のアノードに、双極双投スイッチＳＷ１１の接点ｂ、双極双投スイッチＳＷ１１の極ｐ、及び高周波阻止用コイルＬ１３を介して直流電圧ＶＤＣ２が供給されるので、ダイオードＤ１１はＯＮ状態になる。
【００８８】
第２の端子Ｔ１２に入力された混合信号に含まれる高周波信号は、ＬＰＦ２０及びＯＮ状態であるダイオードＤ１１を経由し、ＬＰＦ１３及び下り信号用ＨＰＦ１４を経由してからアッテネータ１５を経由せずにアンプ１６に到達し、アンプ１６によって増幅され、さらに混合分波器２４によってＣＳ／ＢＳ−ＩＦ信号と混合され、最終的に第３の端子Ｔ１３から出力される。
【００８９】
論理回路２５の第１の入力端ＩＮ１に、高周波阻止用コイルＬ１４、双極双投スイッチＳＷ１１の接点ｂ、双極双投スイッチＳＷ１１の極ｐ、及び高周波阻止用コイルＬ１３を介して直流電圧ＶＤＣ２が供給されるので、論理回路２５の第１の入力端ＩＮ１に供給される信号ＳＩＮ１はＨｉｇｈレベルになる。論理回路２５の第２の入力端ＩＮ２が、高周波阻止用コイルＬ１５、双極双投スイッチＳＷ１２の接点ｂ’、抵抗Ｒ１５を介してグランド電位に接続されるので、論理回路２５の第２の入力端ＩＮ２に供給される信号ＳＩＮ２はＬｏｗレベルになる。したがって、論理回路２５の出力端ＯＵＴから出力される信号ＳＯＵＴがＨｉｇｈレベルになり、ダイオードＤ１２及びＤ１３はＯＮ状態になる。一方、論理回路２６の出力信号がＬｏｗレベルになるのでダイオードＤ１４及びＤ１５はＯＦＦ状態になる。
【００９０】
第２の端子Ｔ１２に混合信号に含まれるＣＳ／ＢＳ−ＩＦ信号は、ＣＳ／ＢＳ−ＩＦ信号用ＨＰＦ２１を経由してからアッテネータ２２を経由せずにＯＮ状態であるダイオードＤ１２及びＤ１３を経由してアンプ２３に到達し、アンプ２３によって増幅され、さらに混合分波器２４によって高周波信号と混合され、最終的に第３の端子Ｔ１３から出力される。
【００９１】
また、直流電圧ＶＤＣ１が、高周波阻止用コイルＬ１１、双極双投スイッチＳＷ１２の極ｐ’、双極双投スイッチＳＷ１２の接点ａ’双極双投スイッチＳＷ１２の接点ａ、双極双投スイッチＳＷ１２の極ｐ、及び高周波阻止用コイルＬ１２を介して、アンプ１８の電源端子に供給される。これにより、アンプ１８が電源ＯＮ状態になる。したがって、第３の端子Ｔ１３に入力され得る上り信号を、アンプ１８によって増幅し、最終的に第１の端子Ｔ１１からＣＡＴＶ局に出力することができる。
【００９２】
＜その他＞
上述した本発明の第１実施形態に係るブースターは、ＵＨＦアンテナからの高周波信号に対応可能なブースターであったが、ＵＨＦアンテナからの高周波信号に対応しないブースターであっても構わない。ＵＨＦアンテナからの高周波信号に対応しない構成としては、例えば、図６に示すように、ブースターが、高周波信号を入力する入力端子１０１と、光運用モードとＣＡＴＶモードとを切り換える光運用／ＣＡＴＶ切換スイッチ１０２’と、高周波信号を減衰する減衰部１０３と、高周波信号を増幅するアンプ１０４と、減衰部１０３によって減衰されアンプ１０４によって増幅された高周波信号を出力する出力端子１０５とを備える構成が挙げられる。そして、減衰部１０３が、光運用／ＣＡＴＶ切換スイッチ１０２’の選択状態に応じて減衰量を変更する。具体的には、減衰部１０３は、光運用／ＣＡＴＶ切換スイッチ１０２’にて光運用モードが選択されているときには、光運用／ＣＡＴＶ切換スイッチ１０２’にてＣＡＴＶモードが選択されているときに比べて、減衰量を大きくする。なお、光運用／ＣＡＴＶ切換スイッチ１０２’にてＣＡＴＶモードが選択されているときの減衰部１０３の減衰量は零であっても構わない。
【００９３】
また、上述した本発明の第１実施形態に係るブースターに、例えば図７に示すように、入力端子１０１とは別の入力端子であって、中間周波信号または中間周波信号と高周波信号との混合信号を入力する他の入力端子３０１と、入力端子１０１及び他の入力端子３０１と光運用／ＣＡＴＶ／ＵＨＦ切換１０２との間に設けられ、別入力モードと混合入力モードとを切り換える別入力／混合入力切換スイッチ３０２と、他の入力端子３０１と後述するアンプ３０４との間に設けられる入力ＡＴＴ用スイッチ３０３と、入力ＡＴＴ用スイッチ３０３から送られてくる中間周波信号を増幅するアンプ３０４と、アンプ１０７から送られてくる高周波信号とアンプ３０４から送られてくる中間周波信号とを混合して出力端子１０８に出力する混合器３０５とを追加してもよい。
【００９４】
他の入力端子３０１が入力する中間周波信号としては、例えば、ＣＳ／ＢＳ−ＩＦ信号が挙げられる。また、他の入力端子３０１が入力する中間周波信号と高周波信号との混合信号としては、例えば、ＣＳ／ＢＳ−ＩＦ信号も出力するＶ−ＯＮＵからの信号、あるいは、衛星放送受信用アンテナに付属するＬＮＢからのＣＳ／ＢＳ−ＩＦ信号とＣＡＴＶ局からの高周波信号との混合信号、あるいは、衛星放送受信用アンテナに付属するＬＮＢからのＣＳ／ＢＳ−ＩＦ信号とＵＨＦアンテナからの高周波信号との混合信号が挙げられる。なお、入力ＡＴＴ用スイッチ３０３に内蔵されている入力ＡＴＴは、他の入力端子３０１での入力レベルが高いとき（例えば、ＣＳ／ＢＳ−ＩＦ信号も出力するＶ−ＯＮＵからの信号を他の入力端子３０１が入力するとき）に減衰（例えば−１０ｄＢ）に設定される。
【００９５】
また、上述した本発明の第２実施形態に係るブースターは、ＣＡＴＶ局からの高周波信号が入力され得るブースターであったが、例えば、ＣＡＴＶ局からの高周波信号の代わりにＵＨＦアンテナからの高周波信号が入力され得るブースターであっても構わない。
【００９６】
また、上述した本発明の第２実施形態に係るブースターは、第１の端子Ｔ１１がＵＨＦアンテナからの高周波信号を入力し、第２の端子Ｔ１２が衛星放送受信用アンテナに付属するＬＮＢからのＣＳ／ＢＳ−ＩＦ信号を入力する使用形態での使用も可能である。この場合、第１の端子Ｔ１１は、ＵＨＦ入力端子としての役割を担い、第２の端子Ｔ１２は、ＣＳ／ＢＳ−ＩＦ入力端子としての役割を担い、第３の端子Ｔ１３は、ＵＨＦ出力端子及びＣＳ／ＢＳ−ＩＦ出力端子としての役割を担う。また、この場合、ユーザーあるいは施工業者による双極双投スイッチＳＷ１１の操作によって、双極双投スイッチＳＷ１１は接点ｂ及びｂ’を選択せずに接点ａ及びａ’を選択する。これにより、極ｐと接点ｂとが非接続状態になり、極ｐ’と接点ｂ’とが非接続状態になり、極ｐと接点ａとが接続状態になり、極ｐ’と接点ａ’とが接続状態になって、双極双投スイッチＳＷ１１は別入力モードを選択する。また、この場合、ユーザーあるいは施工業者による双極双投スイッチＳＷ１２の操作によって、双極双投スイッチＳＷ１２は接点ｂ及びｂ’を選択せずに接点ａ及びａ’を選択する。これにより、極ｐと接点ｂとが非接続状態になり、極ｐ’と接点ｂ’とが非接続状態になり、極ｐと接点ａとが接続状態になり、極ｐ’と接点ａ’とが接続状態になって、双極双投スイッチＳＷ１２はＣＡＴＶモード（この場合、名称はＣＡＴＶモードであるが、実際にはＵＨＦモードである。ＣＡＴＶモードとＵＨＦモードとで減衰部の減衰量を同一にしていることから、双極双投スイッチＳＷ１２ではＣＡＴＶモードとＵＨＦモードとを同一のモードにしている。）を選択する。
【符号の説明】
【００９７】
１、５、１２、１３、１９  ＬＰＦ
２、１４  下り信号用ＨＰＦ
３、７  入力ＡＴＴ用スイッチ
４、１５、２２  アッテネータ
６  ＨＰＦ
８、１０、１６、１８、２３  アンプ
９、１７、２４  混合分波器
１１、１９  上り信号用ＬＰＦ
２１  ＣＳ／ＢＳ−ＩＦ信号用ＨＰＦ
２５、２６  論理回路
１０１  入力端子
１０２  光運用／ＣＡＴＶ／ＵＨＦ切換スイッチ
１０２’、２０４  光運用／ＣＡＴＶ切換スイッチ
１０３、１０６、３０３  入力ＡＴＴ用スイッチ
１０４、２０５、２０７  減衰部
１０５  周波数切換スイッチ
１０７、２０６、２０８、３０４  アンプ
１０８、２１０  出力端子
２０１  第１の入力端子
２０２  第２の入力端子
２０３、３０２  別入力／混合入力切換スイッチ
２０４  光運用／ＣＡＴＶ切換スイッチ
２０９、３０５  混合器
３０１  他の入力端子
Ｃ１〜Ｃ２２  直流阻止用コンデンサ
Ｄ１、Ｄ１１〜Ｄ１５  ダイオード
Ｌ１〜Ｌ４、Ｌ１１〜Ｌ１７  高周波阻止用コイル
Ｒ１、Ｒ１１〜Ｒ１６  抵抗
ＳＷ１  ２極３投スイッチ
ＳＷ２、ＳＷ１１、ＳＷ１２  双極双投スイッチ
Ｔ１、Ｔ１１  第１の端子
Ｔ２、Ｔ１２  第２の端子
Ｔ１３  第３の端子
【図１】
0005792003.tif 000002
【図２】
0005792003.tif 000003
【図３】
0005792003.tif 000004
【図４】
0005792003.tif 000005
【図５】
0005792003.tif 000006
【図６】
0005792003.tif 000007
【図７】
0005792003.tif 000008